(57)【要約】【課題】無線回線を介して、ホストコンピュータと接続可能なファクシミリ装置において、ファクシミリ受信した画像データを記録するファクシミリモードから、無線接続されたＰＣから受信したプリントデータを記録するプリンタモードに切り換える場合、この切換が自動的に行われ、また、上記プリンタモードでの記録が終了したときに、ファクシミリモードに復帰する切換が自動的に行われるファクシミリ装置を提供することを目的とするものである。【解決手段】ＰＣからの印字を行うプリンタモードと、ファクシミリの印字を行うファクシミリモードとを切り換えるファクシミリ装置であって、無線通信手段を通じて、ＰＣからの印字データを受けると、ＰＣからの印字を行うプリンタモードに切り換わり、上記印字が終了した後に、ＦＡＸモードに復帰する。【選択図】  図１
2004228609.tif 000002
【特許請求の範囲】
【請求項１】
無線回線を介して、ホストコンピュータと接続可能なファクシミリ装置において、
上記ホストコンピュータからの印字データを受信する無線通信手段と；
第１のＵＳＢホスト制御手段と；
上記無線通信手段と上記第１のＵＳＢホスト制御手段とを制御する無線制御手段であって、上記無線通信手段が印字データを受信すると、プリンタモードに切り換えるプリント開始信号を出力するように、上記第１のＵＳＢホスト制御手段を制御する無線制御手段と；
ファクシミリ受信画像を、ＵＳＢインタフェースによってプリンタに渡す第２のＵＳＢホスト制御手段と；
上記印字データを記録する記録手段と；
上記記録手段に上記印字データを入力するＵＳＢペリフェラル制御手段と；
印字データを記録するプリンタモードと、ファクシミリ受信データを記録するファクシミリ記録モードとを切り換えるモード切換手段と；
上記第２のＵＳＢホスト制御手段と、上記ＵＳＢペリフェラル制御手段と、上記ＵＳＢ切換手段とを制御するＵＳＢ切換制御手段であって、上記モード切換手段を介して、上記プリント開始信号を検出すると、上記第１のＵＳＢホスト制御手段に接続し、プリンタモードに切り換えるように制御するＵＳＢ切換制御手段と；
を有することを特徴とするファクシミリ装置。
【発明の詳細な説明】
【０００１】
【発明の属する技術分野】
本発明は、ＰＣ等から無線を介して、印刷するデータを受信するインタフェースに係り、特に、プリンタモード付きファクシミリ装置におけるＵＳＢインタフェース制御に関する。
【０００２】
【従来の技術】
従来のＰＣプリンタ手段付きファクシミリは、セントロニクスインタフェース、ＲＳ−２３２Ｃ、ＵＳＢ等、ＰＣとのインタフェースを持っているが、プリンタ機能として使う場合は、インタフェースをユーザが手動で切り換える必要がある。
【０００３】
そして、ファクシミリの受信画像を印刷する際には、手動によって、プリンタモードを解除し、ファクシミリ側とのインタフェースに戻す必要がある。
【０００４】
また、従来の印刷装置およびその制御方法（たとえば、特許文献１参照）のように、無線通信と有線通信との双方によって印字できる印刷装置において、無線通信にはＩＥＥＥ８０２．１１等、有線通信にはＵＳＢも含まれ、無線接続、有線接続の切換を自動に行う従来例もある。
【０００５】
【特許文献１】
特開２０００−３１１０７３号公報
【０００６】
【発明が解決しようとする課題】
しかし、上記従来例では、ＵＳＢインタフェースのＰＬＵＧ信号（ＵＳＢ挿抜検知信号）を検出せず、無線通信部からのデータインタフェースにおける接続検出は、機器内独自の方式である。
【０００７】
上記従来例のうちで、ＰＣプリンタ手段付きファクシミリにおいて、ＰＣプリンタで印刷する場合と、ファクシミリ受信画像を印刷する場合とにおいて、手動でプリンタモードとＦＡＸモードとを切り換える作業が煩雑であるという問題があり、この切換の後に、元のモードに戻す場合、手動で切り換える必要があり、この元に戻す切換作業が煩雑であるという問題がある。
【０００８】
本発明は、無線回線を介して、ホストコンピュータと接続可能なファクシミリ装置において、ファクシミリ受信した画像データを記録するＦＡＸモードから、無線接続されたＰＣから受信したプリントデータを記録するプリンタモードに切り換える場合、この切換が自動的に行われ、また、上記プリンタモードでの記録が終了したときに、ファクシミリモードに復帰する切換が自動的に行われるファクシミリ装置を提供することを目的とするものである。
【０００９】
【課題を解決するための手段】
本発明は、印字データを記録するプリンタモードと、ファクシミリ受信データを記録するファクシミリ記録モードとを切り換えるモード切換手段を設け、上記第２のＵＳＢホスト制御手段と、上記ＵＳＢペリフェラル制御手段と、上記ＵＳＢ切換手段とを制御するＵＳＢ切換制御手段であって、上記モード切換手段を介して、上記プリント開始信号を検出すると、上記第１のＵＳＢホスト制御手段に接続し、ＰＣからの印字を行うプリンタモードに切り換えるように制御し、上記印字が終了した後に、ファクシミリ記録モードに復帰するファクシミリ装置である。
【００１０】
【発明の実施の形態および実施例】
図１は、本発明の一実施例であるファクシミリ装置ＦＳ１を示すブロック図である。
【００１１】
ファクシミリ装置ＦＳ１は、ＦＡＸ制御部１と、ＲＯＭ２と、記憶手段（メモリ）３と、操作部４と、計時タイマ５と、ファクシミリにおける原稿読取部６と、モデム７と、ＮＣＵ８と、電話回線９と、第２のＵＳＢホスト制御部１０と、Ｐｒｉｎｔｅｒ制御部１１と、プリンタＲＯＭ１２と、記憶手段（プリンタメモリ）１３と、画像記録部１４と、ＵＳＢ−Ｐ制御部１５と、ＵＳＢ切換手段１６と、無線ユニット制御部１７と、第１のＵＳＢホスト制御部１８と、無線通信手段（トランシーバ）１９と、ＰＣ（Ｐｅｒｓｏｎａｌ  Ｃｏｍｐｕｔｅｒ）２０とを有する。
【００１２】
ＦＡＸ制御部１は、ファクシミリ装置ＦＳ１の全体を制御するものであり、ＲＯＭ２は、制御プログラムが記憶されているメモリである。記憶手段（メモリ）３は、制御上必要な演算に使用し、ユーザ設定を記憶し、受信した画像や読取部が読み取った画像、またはＰＣからの印字データを記憶するメモリである。操作部４は、表示部と入力部とを具備し、ファクシミリ装置ＦＳ１をユーザが操作する部分である。
【００１３】
モデム７は、ファクシミリ通信を行い、データ転送を行うモデムであり、ＮＣＵ８は、電話回線とファクシミリ装置ＦＳ１とのインタフェースをとり、第２のＵＳＢホスト制御部１０は、ファクシミリ受信画像をＵＳＢインタフェースによって、プリンタに渡すＵＳＢホストインタフェースである。
【００１４】
Ｐｒｉｎｔｅｒ制御部１１は、プリンタ（印字機構）を制御し、プリンタＲＯＭ１２は、Ｐｒｉｎｔｅｒ制御部１１用の制御プログラムを記憶しているＲＯＭである。記憶手段（プリンタメモリ）１３は、記憶手段（メモリ）３と同様の記憶手段であり、画像記録部１４は、記録紙に印字を行い、ＵＳＢ−Ｐ制御部１５は、ＵＳＢペリフェラルインタフェースを行う。
【００１５】
ＵＳＢ切換手段１６は、第１のＵＳＢホスト制御部１８と、第２のＵＳＢホスト制御部１０と、ＵＳＢ−Ｐ制御手段１５と接続され、第２のＵＳＢホスト制御部１０の制御によって、ＵＳＢインタフェース信号を切り換える。
【００１６】
無線ユニット制御部１７は、無線ユニット内の無線通信手段（トランシーバ）１９や第１のＵＳＢホスト制御部１８を制御する無線ユニット制御部である。
【００１７】
無線通信手段（トランシーバ）１９は、ＩＥＥＥ８０２．１１ｂやブルートゥース等の無線通信によってＰＣ等からのデータを受ける無線通信手段（トランシーバ）であり、ＰＣ（Ｐｅｒｓｏｎａｌ  Ｃｏｍｐｕｔｅｒ）２０は、無線通信手段を備えたＰＣである。
【００１８】
ファクシミリ装置ＦＳ１は、大きく分けて、３つの制御部を有し、つまり、無線ユニット制御部、ＦＡＸ制御部、Ｐｒｉｎｔｅｒ制御部を有する。
【００１９】
無線ユニット制御部と、無線通信手段、ＵＳＢホスト制御部は、バスで接続され、無線通信手段は、ＩＥＥＥ８０２．１１ｂやブルートゥース等の無線通信によって、ＰＣと接続される。
【００２０】
ＦＡＸ制御部１、ＲＯＭ２と、記憶手段（メモリ）３、操作部４、タイマ５、読取部６、モデム７、第２のＵＳＢホスト制御部１０は、互いにバスで接続され、モデム７とＮＣＵ８とは、信号線で接続されている。
【００２１】
Ｐｒｉｎｔｅｒ制御部１１と、プリンタＲＯＭ１２、プリンタメモリ１３、画像記録部１４、ＵＳＢ−Ｐ制御部１５とは、互いにバスで接続され、ＵＳＢ切換手段１６と、ＵＳＢ−Ｐ制御部１５とは、信号線で接続されている。ＵＳＢ信号切換手段１６と、第１のＵＳＢホスト制御部１８と、第２のＵＳＢホスト制御部１０とは、信号線で接続されている。
【００２２】
ＦＡＸ制御部１とＵＳＢ切換手段１６とは、信号線で接続され、第１のＵＳＢホスト制御部１８と、第２のＵＳＢホスト制御部１０と、ＵＳＢ−Ｐ制御部１５とは、ＵＳＢインタフェースで接続されている。
【００２３】
ＩＥＥＥ８０２．１１ｂ等の無線通信手段は、既知の技術であるので、詳細には説明しないが、概略は以下のとおりである。
【００２４】
ＩＳＭバンド（２．４ＧＨｚ帯）という電波免許不要な周波数帯の電波を使用し、スペクトラム拡散通信方式（ＳＳ）によって、通信する。ＩＥＥＥ８０２．１１−１９９７でも採用され、ＭＡＣ層、物理層が無線ＬＡＮ専用方式になっており、１Ｍｂｐｓ〜２Ｍｂｐｓ程度の転送スピードが主流である。
【００２５】
スペクトラム拡散通信方式（ＳＳ）は、元来、軍事用に開発された通信方式であり、セキュリティに優れ、またノイズにも強い通信方法である。このスペクトラム拡散方式にも、ＤＳＳＳ（Ｄｉｒｅｃｔ  Ｓｅｑｕｅｎｃｅ  ＳｐｒｅａｄＳｐｅｃｔｒｕｍ）と、ＦＨＳＳ（Ｆｒｅｑｕｅｎｃｙ  Ｈｏｐｐｉｎｇ  Ｓｐｒｅａｄ  Ｓｐｅｃｔｒｕｍ）との２つの方式があり、ＩＥＥＥ８０２．１１−１９９７でも、この２つの方式が採用されている。
【００２６】
また、ファクシミリ装置ＦＳ１は、ＵＳＢインタフェースのＰＬＵＧ信号（ＶＢＵＳ信号）を利用しているので、無線ユニット部については、ＵＳＢホストインタフェースを備えているが、印字データを送信することが可能な別のユニットであってもよい。
【００２７】
さらに、ファクシミリ装置ＦＳ１は、２つのＵＳＢホスト制御部１０、１８を有するが、３つ以上のＵＳＢホスト制御部を有し、複数のユニットと、ＵＳＢ−Ｐ制御部を持つ１つの印字部とを接続するようにしてもよく、このようにしても、応用が可能である。
【００２８】
次に、上記実施例の動作について説明する。
【００２９】
まず、ファクシミリ装置ＦＳ１では、ＰＣから無線通信を通じてプリントすることが可能である。一方、通常のファクシミリ受信データや、読取部６による読取画像データをプリントする場合にも、上記無線通信を通じたプリントと同一の記録部を兼用する。つまり、ファクシミリ装置ＦＳ１は、無線によるプリンタモードと、従来のＦＡＸモードとの両方を併せ持つファクシミリ装置である。
【００３０】
次に、上記実施例において、プリンタモードとＦＡＸモードとの切り換えについて説明する。
【００３１】
ＰＣから無線通信によって印字する場合、無線ユニットが上記ＰＬＵＧ信号を変化させ、これによって、ＵＳＢ切換手段１６を介して、ＦＡＸ制御部１がＰＬＵＧ信号を認識し、ＵＳＢ切換手段１６は、上記無線ユニット側のＵＳＢホスト制御部（第１のＵＳＢホスト制御部）１８と、ＵＳＢ−Ｐ制御部１５とを接続する。この状態が、プリンタモードである。
【００３２】
さらに、ＰＣから無線通信手段（トランシーバ）１９に、印字データが送られる。このデータを、第１のＵＳＢホスト制御部１８が受け、ＵＳＢ切換手段１６を介して、ＵＳＢインタフェースによって、ＵＳＢ−Ｐ制御部１５に送るというデータの流れである。
【００３３】
次に、ユーザがＰＣ２０から、無線通信を介して、ファクシミリ装置ＦＳ１からプリントする場合の動作について詳細に説明する。
【００３４】
まず、ユーザが、ＰＣ２０から印字データを無線通信手段（トランシーバ）１９に送信する。ＰＣ２０には、無線通信手段（トランシーバ）１９と交信できる無線部が設けられ、無線通信手段（トランシーバ）１９との交信用の専用ソフトウェアを搭載している。
【００３５】
次に、無線ユニット制御部１７は、無線通信手段（トランシーバ）１９が現在、受信動作を開始しているか否かを判断し、受信動作を開始していれば、ＵＳＢ切換手段１６を、第１のＵＳＢホスト制御部１８側に切換えるべく、無線ユニット制御部１７が、第１のＵＳＢホスト制御部１８におけるＰＬＵＧ信号のレベルを、Ｌ→Ｈに変化させる。
【００３６】
この変化を受けたＵＳＢ切換手段１６は、ＦＡＸ制御部１に、この状態を通知する。また、ＦＡＸ制御部１は、ＵＳＢ切換手段１６を制御し、第１のＵＳＢホスト制御部１８とＵＳＢ−Ｐ制御部１５とを接続する。
【００３７】
ＦＡＸ制御部１は、ファクシミリ装置ＦＳ１の全体の動作を制御し、この通知によって、装置を「プリンタモード」に移行させる。
【００３８】
「プリンタモード」に移行したファクシミリ装置ＦＳ１は、「ＦＡＸモード」に戻るまで、ファクシミリの受信画像を印字することができない。
【００３９】
ＦＡＸ制御部１によって接続された第１のＵＳＢホスト制御部１８と、ＵＳＢ−Ｐ制御部１５とは、ＵＳＢインタフェースの手順を行い、ＵＳＢ接続を確立させる。その後に、ＵＳＢ−Ｐ制御部１５が、印字データを受け取ると、画像記録部１４にデータが送られ、印刷される。ＵＳＢ−Ｐ制御部１５の制御と印字制御とは、Ｐｒｉｎｔｅｒ制御部１１において実行される。
【００４０】
印字が開始されるまでに、ユーザによるキャンセルや、ＵＳＢインタフェースの成否の判断、データ転送が正常であるか否かの判断等を、ＦＡＸ制御部１、Ｐｒｉｎｔｅｒ制御部１１、無線ユニット制御部１７で実行する。
【００４１】
ユーザキャンセルの場合は、ＦＡＸ制御部１が、操作部４から、キャンセルを検知し、Ｐｒｉｎｔｅｒ制御部１１に、その旨を通知すると、Ｐｒｉｎｔｅｒ制御部１１は、ＵＳＢ−Ｐ制御部１５にＵＳＢ接続を終了させる。また、ＦＡＸ制御部１は、ＵＳＢ切換手段１６に、第１のＵＳＢホスト制御部１８とＵＳＢ−Ｐ制御部１５との接続を解除させる。
【００４２】
ＵＳＢ接続が、ＵＳＢ−Ｐ制御部１５で終了され、ＵＳＢ接続が解除されると、相手先である第１のＵＳＢホスト制御部１８も、それを検知することができる。無線ユニット制御部１７が、第１のＵＳＢホスト制御部１８を介して、それを検知すると、無線ユニット制御部１７は、無線通信手段（トランシーバ）１９を経由し、ＰＣ２０にエラーを通知する。さらに、第１のＵＳＢホスト制御部１８に対して、ＰＬＵＧ信号をＨ→Ｌに下げさせる。
【００４３】
ＵＳＢインタフェースが正常に成立しなかった場合や、データ転送に問題が発生した場合も、上記と同様に、Ｐｒｉｎｔｅｒ制御部１１は、ＵＳＢ−Ｐ制御部１５を介して、その状態を検知し、上記ユーザキャンセルの場合と同様に、Ｐｒｉｎｔｅｒ制御部１１は、ＵＳＢ−Ｐ制御部１５に、ＵＳＢ接続を終了させる。また、ＦＡＸ制御部１は、第１のＵＳＢホスト制御部１８とＵＳＢ−Ｐ制御部１５との接続を、ＵＳＢ切換手段１６に解除させる。
【００４４】
印字データが正常に送信され、正常に印字が終了した場合、次の印字データが来ていないこと、また印字終了から設定時間ｔ１が経過したことを、Ｐｒｉｎｔｅｒ制御部１１が判断し、その旨を、ＦＡＸ制御部１に通知する。
【００４５】
この通知を受けたＦＡＸ制御部１は、ＵＳＢ切換手段１６が確立した第１のＵＳＢホスト制御部１８とＵＳＢ−Ｐ制御部１５との接続を解除する。
【００４６】
接続が解除されると、無線ユニット制御部１７は、第１のＵＳＢホスト制御部１８を介して、ＵＳＢインタフェースが解除されたことを検知し、第１のＵＳＢホスト制御部１８におけるＰＬＵＧ信号のレベルを、Ｈ→Ｌに下げさせる。
【００４７】
ＦＡＸ制御部１は、本装置を「プリンタモード」から、「ＦＡＸモード」に戻す。
【００４８】
「プリンタモード」中に、第２のＵＳＢホスト制御部１０からＦＡＸ印字の要求があれば、ＦＡＸ制御部１は、ＰＬＵＧ信号を監視しているので、それを検知し、Ｐｒｉｎｔｅｒ制御部１１に、現在、第１のＵＳＢホスト制御部１８との間で確立しているＵＳＢインタフェースを中止し、接続を解除するように要求する。Ｐｒｉｎｔｅｒ制御部１１は、要求を受け、ＵＳＢインタフェースを解除し、第１のＵＳＢホスト制御部１８は、接続解除されると、トランシーバを介して、ＰＣ２０にエラー中断終了を通知する。この際、ＰＣ２０からのプリントが中止される。
【００４９】
そして、ＦＡＸ制御部１は、ＵＳＢ切換手段１６によって、第２のＵＳＢホスト制御部１０とＵＳＢ−Ｐ制御部１５とを接続し、第２のＵＳＢホスト制御部１０は、ＵＳＢインタフェースが確立されると、ＦＡＸ受信画像データをＵＳＢ−Ｐ制御部１５に流し、Ｐｒｉｎｔｅｒ部において印字動作を行う。
【００５０】
上記説明は、ＦＡＸ受信画像データを優先した場合、つまりＦＡＸ受信画像を至急印刷したい場合における動作である。ただし、ＦＡＸ受信画像データを優先しないように、ユーザが希望すれば、上記のように、ＰＣ２０からの印刷を中止することなく継続し、ＦＡＸ受信画像印字を後回しにすることもできる。この場合、ＦＡＸ受信画像は、メモリに記憶し、「プリンタモード」終了後に、「ＦＡＸモード」に移行し、直ちに印字するようにしてもよい。
【００５１】
次に、ファクシミリ通信で受信した場合に、ＦＡＸ受信画像印字までの動作について説明する。
【００５２】
ＦＡＸ制御部１は、公衆回線を通じて着呼した後、モデム７を介して、相手先ファクシミリと通信手順を行い、受信した画像を、ＭＨ圧縮し、メモリに格納する。その後に、メモリの受信画像を展開し、記録するために、第２のＵＳＢホスト制御部１０へ送る。ここで、ＦＡＸ制御部１は、Ｐｒｉｎｔｅｒ制御部１１に対して、受信画像を印字するために、画像記録部１４を動作させるように準備を促す。
【００５３】
第２のＵＳＢホスト制御部１０が、受信画像の印字データを受けると、ＦＡＸ制御部１は、第２のＵＳＢホスト制御部１０におけるＰＬＵＧ信号のレベルを、Ｌ→Ｈに変化させるように指示する。一方、ＦＡＸ制御部１は、ＵＳＢ切換手段１６によって、第２のＵＳＢホスト制御部１０とＵＳＢ−Ｐ制御部１５とを接続する。ここで、ＦＡＸ制御部１は、ファクシミリ装置ＦＳ１を、「ＦＡＸモード」に移行させる。
【００５４】
「ＦＡＸモード」に移行したファクシミリ装置ＦＳ１は、ＦＡＸ受信画像を記録終了するまで、上記無線ユニットからの印字要求に対して応答することはできない。
【００５５】
接続された第２のＵＳＢホスト制御部１０とＵＳＢ−Ｐ制御部１５とは、ＵＳＢ接続を確立させる。その後、ＵＳＢ−Ｐ制御部１５が、印字データを受け取ると、画像記録部１４にデータが送られ、印刷される。このＵＳＢ−Ｐ制御部１５の制御と印字制御とは、Ｐｒｉｎｔｅｒ制御部１１において実行する。
【００５６】
印字が開始されるまでに、ユーザによるキャンセルや、ＵＳＢインタフェースの成否の判断、データ転送が正常であるか否かの判断等を、ＦＡＸ制御部１、Ｐｒｉｎｔｅｒ制御部１１が実行し、そのいずれかに問題があれば、第２のＵＳＢホスト制御部１０において、速やかに異常が検知され、ＦＡＸ制御部１にエラーが通知される。
【００５７】
印字データが、正常に送信され、正常に印字が終了した場合、次の受信印字データが来ていないことを、ＦＡＸ制御部１が検知し、ＦＡＸ制御部１が、第２のＵＳＢホスト制御部１０を制御し、ＰＬＵＧ信号を、Ｈ→Ｌへ変化させる。
【００５８】
「ＦＡＸモード」中に、第１のＵＳＢホスト制御部１８からＵＳＢ切換手段１６に対して、ＰＬＵＧ信号のＬ→Ｈの変化が入力された場合、第１のＵＳＢホスト制御部１８は、ＵＳＢインタフェースを確立すべく、動作を開始するが、ＵＳＢ−Ｐ制御部１５からの応答はない。したがって、第１のＵＳＢホスト制御部１８は、ＵＳＢインタフェースを確立できないので、確立できない時間が所定の一定時間経過すると、第１のＵＳＢホスト制御部１８は、ＰＬＵＧ信号を、Ｈ→Ｌへ戻す。
【００５９】
このＰＬＵＧ信号を、ＦＡＸ制御部１が監視しているので、第１のＵＳＢホスト制御部１８から「接続要求」があったことを、ＦＡＸ制御部１が検知している。したがって、無線ユニット内に印字データを蓄積しておくシステム構成をとれば、ＰＣ２０からの印字データを無線ユニット内に一旦蓄積し、「ＦＡＸモード」でＦＡＸ受信記録を終了した後に、第１のＵＳＢホスト制御部１８とＵＳＢ−Ｐ制御部１５とを接続し、ＰＣ２０からの印字データを記録することが可能である。上記実施例では、簡素化のために、無線ユニット内には、印字データを蓄積しないシステム構成にしている。
【００６０】
なお、上記実施例では、ＦＡＸ制御部１とＰｒｉｎｔｅｒ制御部１１とを、２つの制御部として記載しているが、これら２つの制御部を１つの制御部にするようにしてもよい。この場合、Ｐｒｉｎｔｅｒ制御部１１とＦＡＸ制御部１との動作を、１つの制御部において実行することができる。
【００６１】
次に、上記動作のうちで、無線ユニット経由で印刷する場合の動作について説明する。
【００６２】
図２は、上記実施例において、無線ユニット経由で印刷する動作を示すフローチャートである。
【００６３】
Ｓ２０１では、ファクシミリ装置が、「ＦＡＸモード」でスタンバイ状態であり、ＵＳＢ接続手段については、ＵＳＢ−Ｐ制御部１５が、第１のＵＳＢホスト制御部１８、第２のＵＳＢホスト制御部１０のどちらとも接続されていない。
【００６４】
Ｓ２０２では、ユーザが、プリンタとしてファクシミリ装置を使うために、ＰＣ２０から印字データを、無線によって送信し、無線通信部が受信を開始すると、無線ユニット制御部１７が、これを検知し、Ｓ２０３に進む。Ｓ２０３では、第１のＵＳＢホスト制御部１８が、ＰＬＵＧ信号を、“Ｈ”に変化させ、Ｓ２０４に進む。
【００６５】
Ｓ２０４では、ＦＡＸ制御部１は、第１のＵＳＢホスト制御部１８からのＰＬＵＧ信号を検出し、ＵＳＢ切換手段１６の現在の状態と、第２のＵＳＢホスト制御部１０の状態とを確認し、現在ＦＡＸ印字のために、第２のＵＳＢホスト制御部１０とＵＳＢ−Ｐ制御部１５とによって、ＵＳＢ接続中であるか否かを判断する。
【００６６】
接続中、つまりＦＡＸ印字中であれば、Ｓ２０５へ進み、そうでなければＳ２０８へ進む。
【００６７】
Ｓ２０５では、ＦＡＸ印字中であれば、第１のＵＳＢホスト制御部１８でＵＳＢインタフェースを確立できないので、無線ユニット制御部１７は、“プリンタＢＵＳＹ”として、無線通信部にＢＵＳＹ状態を通知し、Ｓ２０６へ進む。
【００６８】
Ｓ２０６では、無線通信部が無線接続されているＰＣ２０に、ＢＵＳＹ状態を通知する。Ｓ２０８では、ＦＡＸ制御部１は、当該ファクシミリ装置を「プリンタモード」に移行させ、Ｓ２０９へ進む。
【００６９】
Ｓ２０９では、ＵＳＢインタフェースの通信確認を行う前に、ユーザによる印字キャンセルが、本体のＫＥＹ操作等のオペレーションによって入力が無いことを、ＦＡＸ制御部１が監視し、Ｓ２１０へ進む。
【００７０】
Ｓ２１０では、ＵＳＢインタフェースのネゴシエーションが、接続された第１のＵＳＢホスト制御部１８とＵＳＢ−Ｐ制御部１５との間で始まり、これをＰｒｉｎｔｅｒ制御部１１において監視する。上記ネゴシエーションが正常に行われると、Ｓ２１１へ進む。上記ネゴシエーションがエラーである場合は、Ｓ２０５へ進む。
【００７１】
Ｓ２１１では、Ｐｒｉｎｔｅｒ制御部１１は、ＵＳＢ−Ｐ制御部１５を通じて、ＵＳＢインタフェース間で、データの送受信が開始されたか否かを検出する。データ送受信が正常に開始されれば、Ｓ２１２へ進み、データが来ない等のデータエラーが発生した場合は、Ｓ２０５へ進む。
【００７２】
Ｓ２１２では、印字が正常に終了すれば、Ｓ２１４へ進み、記録部から、Ｐｒｉｎｔｅｒ制御部１１に異常が通知されると、Ｓ２１３へ進む。
【００７３】
Ｓ２１３では、ＦＡＸ制御部１は、記録部エラー（記録紙ジャムや記録紙なし等）を、表示部や音声ガイダンス等によって、ユーザに通知し、Ｓ２０１（「ＦＡＸモード」のスタンバイ状態）に戻る。記録部のエラーが解除されることを、Ｐｒｉｔｎｅｒ制御部において検知し、ＦＡＸ制御部１に知らされるまで、上記エラー通知が継続される。
【００７４】
Ｓ２１４では、Ｐｒｉｎｔｅｒ制御部１１は、次の印字データがあるか否かを確認する。無線通信部に、次の印字データが入力されると、ＵＳＢインタフェースで継続した印字を続けるために、Ｓ２０９へ戻り、次のデータを印字する。次の印字データがないことを、Ｐｒｉｎｔｅｒ制御部１１が検知すれば、Ｓ２１５へ進む。
【００７５】
Ｓ２１５では、前回の印字からの経過時間を、ＦＡＸ制御部１が確認する。規定時間（ユーザが設定可能）ｔ１よりも、経過時間が長ければ、Ｓ２１６へ進む。上記経過時間がｔ１以下であれば、Ｓ２０９へ戻る。
【００７６】
Ｓ２１６では、ＦＡＸ制御部１は、ＵＳＢ切換手段１６に、ＵＳＢ接続の解除を行わせる。これによって接続解除された第１のＵＳＢホスト制御部１８は、ＵＳＢインタフェースが解除されると、ＰＬＵＧ信号を、Ｈ→Ｌに変化させ、Ｓ２１７へ進む。Ｓ２１７では、ＦＡＸ制御部１は、プリンタモードからＳ２０１の「ＦＡＸモード」スタンバイに戻る。
【００７７】
つまり、上記実施例では、ファクシミリ装置ＦＳ１の印字部を、ファクシミリ受信画像を印刷することに加え、無線通信を介したＰＣ２０からの印字データをも印刷する際に、その双方の切換を、ＵＳＢインタフェースのＰＬＵＧ信号を利用し、スムーズに実行することができる。なお、無線通信については、既存の技術であるＩＥＥＥ８０２．１１やブルートゥースを用いる。
【００７８】
上記ＰＬＵＧ信号は、ＵＳＢ規格（ＵＳＢ  Ｓｅｒｉａｌ  Ｂｕｓ  Ｓｐｅｃｉｆｉｃａｔｏｎ  Ｒｅｖｉｓｉｏｎ１．１など）によって定められている信号の１つであり、ＵＳＢには、Ｄ＋／Ｄ−という差動のデータ信号線の他に、上記ＰＬＵＧ信号（Ｖ−ＢＵＳ信号とも呼ばれる）がある。
【００７９】
上記ＰＬＵＧ信号は、ホスト（この場合ＰＣ２０）側から規定電圧（Ｈレベル）を供給することによって、ＵＳＢの接続を、Ｐｅｒｉｆｅｒａｌ側に伝えることを目的とする信号である。
【００８０】
上記ＰＬＵＧ信号は、ＵＳＢホスト制御部が、ＵＳＢ−Ｐ制御部（ＵＳＢペリフェラル制御部）１５に対して、「接続要求」を行う際に、Ｈレベル（＋５Ｖ）を出力する信号である。
【００８１】
上記実施例では、ＵＳＢホスト制御部が、２つ設けられ、つまり、無線ユニット側の第１のＵＳＢホスト制御部１８と、ＦＡＸ側の第２のＵＳＢホスト制御部１０とが設けられている。
【００８２】
第１のＵＳＢホスト制御部１８と、第２のＵＳＢホスト制御部１０とからのＰＬＵＧ信号２本を、ファクシミリ装置ＦＳ１の全体を制御するＦＡＸ制御部１が監視し、この監視しているＰＬＵＧ信号の状態に応じて、第２のＵＳＢホスト制御部１０が、ＵＳＢ切換手段１６を操作し、これによって、ＰＣ２０からの印字データを無線部（無線ユニット）が受けた場合やファクシミリ受信した場合に、ファクシミリの印字と無線ユニットの印字との切換を行う。
【００８３】
この際に、無線ユニットからのデータを印字する場合、第１のＵＳＢホスト制御部１８とＵＳＢ−Ｐ制御部１５とが接続される。一方、ファクシミリの印字を行う場合、第２のＵＳＢホスト制御部１０とＵＳＢ−Ｐ制御部１５とが接続される。
【００８４】
ＦＡＸ制御部１は、第１のＵＳＢホスト制御部１８、第２のＵＳＢホスト制御部１０のどちらかと、ＵＳＢ−Ｐ制御部１５とを接続したことを、ＵＳＢ切換手段１６が常時検知することができ、その検知結果に合わせたモードに、ファクシミリ装置ＦＳ１を移行させる。
【００８５】
すなわち、ＵＳＢ−Ｐ制御部１５と接続されている相手先が、第１のＵＳＢホスト制御部１８であれば、無線通信手段１９が選ばれているので、「プリンタモード」であり、相手先が第２のＵＳＢホスト制御部１０であれば、「ＦＡＸモード」である。
【００８６】
この結果、上記実施例では、プリンタとしてファクシミリを使用するユーザが、ＰＣ２０から無線を介して印字させる場合に、ファクシミリ装置をわざわざ手動でプリンタモードに移行する操作を排除することができ、したがって、ユーザの利便性を高めることができる。
【００８７】
なお、上記実施例を、次の実施形態として把握することができる。
【００８８】
［実施形態１］  無線回線を介して、ホストコンピュータと接続可能なファクシミリ装置において、
上記ホストコンピュータからの印字データを受信する無線通信手段と；
第１のＵＳＢホスト制御手段と；
上記無線通信手段と上記第１のＵＳＢホスト制御手段とを制御する無線制御手段であって、上記無線通信手段が印字データを受信すると、プリンタモードに切り換えるプリント開始信号を出力するように、上記第１のＵＳＢホスト制御手段を制御する無線制御手段と；
ファクシミリ受信画像を、ＵＳＢインタフェースによってプリンタに渡す第２のＵＳＢホスト制御手段と；
上記印字データを記録する記録手段と；
上記記録手段に上記印字データを入力するＵＳＢペリフェラル制御手段と；
印字データを記録するプリンタモードと、ファクシミリ受信データを記録するファクシミリ記録モードとを切り換えるモード切換手段と；
上記第２のＵＳＢホスト制御手段と、上記ＵＳＢペリフェラル制御手段と、上記ＵＳＢ切換手段とを制御するＵＳＢ切換制御手段であって、上記モード切換手段を介して、上記プリント開始信号を検出すると、上記第１のＵＳＢホスト制御手段に接続し、プリンタモードに切り換えるように制御するＵＳＢ切換制御手段と；
を有することを特徴とするファクシミリ装置。
【００８９】
［実施形態２］  実施形態１において、
上記ＵＳＢ切換制御手段は、上記印字データの記録終了を上記記録手段が検出すると、上記ＵＳＢペリフェラル制御手段と、上記ＵＳＢ第１ホスト制御手段とを切り離すことによって、上記プリンタモードを解除する手段であることを特徴とするファクシミリ装置。
［実施形態３］  実施形態２において、
上記無線制御手段は、上記プリンタモードが解除されたことを検出すると、プリント終了信号を出力するように、上記第１のＵＳＢホスト制御手段を制御する手段であることを特徴とするファクシミリ装置。
【００９０】
【発明の効果】
本発明によれば、無線回線を介して、ホストコンピュータと接続可能なファクシミリ装置において、ファクシミリ受信した画像データを記録するＦＡＸモードから、無線接続されたＰＣから受信したプリントデータを記録するプリンタモードに切り換える場合、この切換が自動的に行われ、また、上記プリンタモードでの記録が終了したときに、ファクシミリモードに復帰する切換が自動的に行われるという効果を奏する。
【図面の簡単な説明】
【図１】本発明の一実施例であるファクシミリ装置ＦＳ１を示すブロック図である。
【図２】上記実施例において、無線ユニット経由で印刷する動作を示すフローチャートである。
【符号の説明】
ＦＳ１…ファクシミリ装置、
１…ＦＡＸ制御部、
２…ＲＯＭ、
３…記憶手段（メモリ）、
４…操作部、
５…計時タイマ、
６…原稿読取部、
７…モデム、
８…ＮＣＵ、
９…電話回線、
１０…第２のＵＳＢホスト制御部、
１１…Ｐｒｉｎｔｅｒ制御部、
１２…プリンタＲＯＭ、
１３…記憶手段（プリンタメモリ）、
１４…画像記録部、
１５…ＵＳＢ−Ｐ制御部、
１６…ＵＳＢ切換手段、
１７…無線ユニット制御部、
１８…第１のＵＳＢホスト制御部、
１９…無線通信手段（トランシーバ）、
２０…ＰＣ。
【図１】
2004228609.tif 000003
【図２】
2004228609.tif 000004